(57)【要約】【課題】大きな画像乱れを生ずることなく、且つ色合いの変化，Ｓ／Ｎ比の悪化，解像度の劣化などを招くこともなく、ＴＶ放送受信映像又は外部入力映像とＤＶＤ再生映像との間での自動的な画面の切り換えが可能なＤＶＤ再生表示装置を提供する。【解決手段】外部入力信号としてラインＩＮ１１から、或いはアンテナＩＮ１２からＴＶチャンネル選局復調回路１３を通じて入力された入力ビデオ信号を、放送方式判別回路１６に入力し、その信号の放送方式を判別し、その結果を一時記憶する。スイッチ回路２３では、ＤＶＤ再生装置により復号されたＤＶＤ信号を出力する放送方式を、記憶された入力ビデオ信号の放送方式に切り換える。選択された方のエンコーダ２１／２２で復号ＤＶＤ信号を符号化し、マルチ方式ＴＶモニタ駆動回路１５を介してモニタにその放送方式で表示する。【選択図】　　　　図１
2004072437.tif 000002
【特許請求の範囲】
【請求項１】
表示装置と、ＤＶＤからＤＶＤ信号を読み取り前記表示装置に再生させるＤＶＤ再生装置とを備えた電子機器におけるＤＶＤ信号出力選択装置であって、前記ＤＶＤ再生装置により復号したＤＶＤ信号を、複数のビデオ信号の放送方式に符号化するビデオ信号符号化回路と、前記ＤＶＤ信号以外の入力ビデオ信号の放送方式を判別する放送方式判別回路と、該放送方式判別回路における判別結果を一時記憶する記憶手段と、前記放送方式判別回路によって判別され、前記記憶手段で記憶された、前記入力ビデオ信号の放送方式に基づき、前記復号したＤＶＤ信号を符号化する放送方式を選択する放送方式選択回路とを有することを特徴とするＤＶＤ信号出力選択装置。
【請求項２】
前記放送方式選択回路は、前記放送方式判別回路によって判別され、前記記憶手段で記憶された、前記入力ビデオ信号の放送方式に基づき、前記復号したＤＶＤ信号を該放送方式で符号化するよう、前記ビデオ信号符号化回路における符号化の放送方式を切り換える回路であることを特徴とする請求項１記載のＤＶＤ信号出力選択装置。
【請求項３】
前記入力ビデオ信号は、ＴＶ放送受信信号としての入力ビデオ信号、及び／又は、外部入力としての入力ビデオ信号であることを特徴とする請求項１又は２記載のＤＶＤ信号出力選択装置。
【請求項４】
請求項１乃至３のいずれか１記載のＤＶＤ信号出力選択装置を備えた、前記電子機器としてのＤＶＤ内蔵型マルチ方式ＴＶ受像機であって、前記表示装置をＴＶ放送受信信号を表示する装置とし、前記入力ビデオ信号は、ＴＶ放送受信信号としての入力ビデオ信号及び外部入力としての入力ビデオ信号であることを特徴とするＤＶＤ内蔵型マルチ方式ＴＶ受像機。
【請求項５】
請求項１乃至３のいずれか１記載のＤＶＤ信号出力選択装置と、該ＤＶＤ信号出力選択装置からの出力を表示する前記表示装置とを備えた、前記電子機器としてのＤＶＤ再生表示装置。
【請求項６】
請求項１乃至３のいずれか１記載のＤＶＤ信号出力選択装置を備えたＤＶＤ再生装置であって、前記表示装置は、該ＤＶＤ信号出力選択装置からの出力を表示する、当該ＤＶＤ再生装置に外部接続された表示装置であることを特徴とするＤＶＤ再生装置。
【発明の詳細な説明】
【０００１】
【発明の属する技術分野】
本発明は、ＤＶＤ信号出力選択装置、ＤＶＤ内蔵型マルチ方式ＴＶ受像機、ＤＶＤ再生表示装置、及びＤＶＤ再生装置に関し、より詳細には、ＤＶＤ再生機能及び表示機能を有する電子機器におけるＤＶＤ信号出力選択装置、ＤＶＤ内蔵型マルチ方式ＴＶ受像機、ディスプレイ付きＤＶＤ装置等のＤＶＤ再生表示装置、及び、ＴＶ受像機やディスプレイにＤＶＤを再生表示するためのＤＶＤ再生装置に関する。
【０００２】
【従来の技術】
ＤＶＤ（Ｄｉｇｉｔａｌ　Ｖｅｒｓａｔｉｌｅ　Ｄｉｓｋ）再生機能付きデッキを、ＴＶ受像機筐体に内蔵又は外付けすること、若しくはＴＶチューナを搭載したＬＣＤ（Ｌｉｑｕｉｄ　Ｃｒｙｓｔａｌ　Ｄｉｓｐｌａｙ）モニタ等と一体化することは、シンプルで簡単な接続でＤＶＤソフトの再生とＴＶ放送信号受信とを両立させることができるものであり、最近多くの装置が市場に並ぶことになった。
【０００３】
例えば、一般のＤＶＤ一体型ＴＶ受像機（ＤＶＤ一体型単一方式ＴＶ受像機と呼ぶ）では、ＴＶ放送信号を受信視聴中であっても、ＤＶＤソフトを挿入するだけで、或いはＤＶＤソフトを挿入しＤＶＤ＿ＰＬＡＹボタンを一回押すだけで、ＤＶＤの再生画面が、ＴＶ受像機のモニタ上に現れる。この時、ユーザは、ＴＶモニタの入力切り換えなどを行わなくても、ＴＶ放送受信映像からＤＶＤ再生映像に自動的に切り換わった映像をみることができる。反対に、ＤＶＤ視聴をしているときに、ＴＶチャンネル選局を切り換えれば、ＤＶＤ再生映像からＴＶ放送の選局したチャンネルの画面に切り換えることもできる。このように、ＤＶＤ一体型単一方式ＴＶ受像機或いは同様の機能をもつ装置は、複雑な操作を不要として、ユーザが主に変えようと操作した内容に沿って、装置が動くことが内蔵（一体化）のメリットの１つでもある。
【０００４】
一方、地域によっては、水平ライン数やフィールド周波数などが異なるＴＶ放送方式（信号方式ともいう）が混在する地域があり、それぞれの方式を映し出すことができる、所謂マルチ方式のＴＶ受像機が多く市販されている。例えば、香港などの東南アジア地域においては、地上波ＴＶ放送は６２５ライン，２５フレーム，５０フィールドのＰＡＬ（Ｐｈａｓｅ　Ａｌｔｅｒｎａｔｉｏｎ　ｂｙ　Ｌｉｎｅ）方式であり、衛星放送は、６２５ライン，３０フレーム，６０フィールドのＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）方式であるような環境をもつ。また、この地域で市販されているＤＶＤソフトは、それを再生すればＰＡＬ方式の信号が出力されるＰＡＬ方式のものである。
【０００５】
近年、上述のごときマルチ方式ＴＶ受像機能とＤＶＤプレーヤ機能を組み合わせて一体化された製品も多く見られるようになった。東南アジア地域など異なる信号方式が混在する地域でこのようなＤＶＤ一体型（ＤＶＤ内臓型）マルチ方式ＴＶ受像機を用いる場合、ＤＶＤ一体型単一方式ＴＶ受像機と同様にＴＶ放送受信映像とＤＶＤ再生映像との間での自動的な画面の切り換わりが可能ではあるが、水平／垂直同期信号周波数の違い、フレーム周波数の違いで、ＴＶ受像機のモニタ画面は瞬間的に大きく乱れることになる。すなわち、放送やＤＶＤソフトなどの方式に関して、異なる信号方式のものが混在する地域において、ＤＶＤソフトの再生信号とソフトを停止したときの放送受信信号の方式が異なれば、ＴＶモニタ上では水平／垂直同期信号の不一致、フィールド周波数の不一致を修正すべく、ある一定時間が必要であり、その間、ユーザは「画像乱れ」という不快感を味わうことになる。
【０００６】
例えば、ＮＴＳＣの衛星放送を視聴中に市販のＰＡＬ方式ＤＶＤを再生すると、受信信号（ＮＴＳＣ）からＤＶＤ再生信号のＰＡＬ方式ビデオ信号に切り換わることになり、ＴＶモニタ画面上では、同期信号の不連続により大きな画像乱れが生じることになる。また、ＰＡＬ方式ＤＶＤの再生を停止するとき、ＰＡＬ方式ビデオ信号からＮＴＳＣ方式の衛星放送チャンネルに切り換わることになるが、ここでも同期信号の不連続により画像乱れが生じることとなる。すなわち、ＴＶ放送受信映像とＤＶＤ再生映像との間での自動的な画面の切り換わりが可能であっても、同期信号の不連続など、ユーザに不快感を与える場合がある。また、ＴＶ放送受信映像でなくとも、ＴＶ受像機側或いはＤＶＤ再生装置側にある外部入力端子から入力された外部入力映像に対しても同様の影響がある。
【０００７】
ここで、異なる放送方式に対応可能な再生装置の従来例として、ビデオ録画再生装置に関する、特開平１−１０９８８３号公報を挙げる。同公報に記載のビデオ録画再生装置は、ＮＴＳＣ，ＰＡＬ，ＳＥＣＡＭ（ＳＥｑｕｅｎｔｉｅｌｌｅＣｏｕｌｅｕｒ　Ａ　Ｍｅｍｏｉｒｅ）の各信号方式のいずれかで録画されたテープからの再生信号より、先にあげた３つの方式を検出する方式検出手段と、方式検出手段により識別した結果にて、対応する方式に信号処理を切り換えるための方式切り換え手段と、方式切り換え手段により指定される１つの方式のビデオ信号を、予め定めた方式のビデオ信号に変換して出力する画像方式変換手段とを有することを特徴とした自動方式変換手段機能付きのビデオ録画再生装置である。
【０００８】
つまり、このビデオ録画再生装置は、ＮＴＳＣ，ＰＡＬ，ＳＥＣＡＭの、どの信号方式で録画されたテープでも再生が可能であり、その録画信号の方式を検出し、その再生信号に合う信号処理を行うことができるものである。そして、再生信号のＴＶ受像機への出力については、予め、ＮＴＳＣなのか、ＰＡＬなのか、ＳＥＣＡＭなのかを指定しておけば、そのいずれか１つの方式になるように、画像方式変換を行って出力するというものである。
【０００９】
通常、ＮＴＳＣ，ＰＡＬ，ＳＥＣＡＭ方式の異なる信号を映し出せるマルチ方式ＴＶ受像機は、一方式専用の単一方式ＴＶ受像機と比較するとかなり高価であるし、数が少なく、市場でもなかなか手に入れられない。特別な地域として、香港やシンガポールなど、東南アジアでは数種の方式に対応したＴＶ受像機が発売されている所もあるが、日本やアメリカではＮＴＳＣ専用であるし、ヨーロッパではＰＡＬ専用或いはＰＡＬ／ＳＥＣＡＭ対応までである。
【００１０】
同公報に記載の自動方式変換機能付ビデオ録画再生装置は、このような環境を考慮し、テープを再生するビデオ側で、再生は３方式いずれでも可能であり、出力に際しいずれか１方式にして出力が可能であるように対応することで、ユーザはＴＶの買い替えをすることなく、３方式までのビデオテープを観賞することができるメリットがある。
【００１１】
しかしながら、上述の特開平１−１０９８８３号公報に記載の発明を利用することを考えてみると、同公報に記載の発明は、入力信号の放送方式にかかわらず、出力信号の放送方式をＮＴＳＣ，ＰＡＬ，ＳＥＣＡＭのいずれかの方式に決めてやれば、ＴＶ放送信号もビデオ再生信号もその方式に変換されて出力されるよう構成されているが、ここで行われているアナログ信号の方式変換処理は、元の信号を分解・再組み立てする作業であり、色合いの変化，Ｓ／Ｎ比の悪化，解像度の劣化などを招くことになる。
【００１２】
さらに、香港など東南アジアでは、ＰＡＬ方式／ＮＴＳＣ方式を番組により見分けたり、日によって今日はＰＡＬ、昨日はＮＴＳＣなどが見られるなど、ユーザの視聴する放送，ビデオソフト，ＤＶＤソフトの方式別の割り合い（ここではＮＴＳＣ方式とＰＡＬ方式との割り合い）は、一定してないのが現実である。この現状を鑑みると、上述のごとき劣化等を伴う方式変換処理で、１つの方式に限定してＴＶ受像機のモニタへ出力するといった形態は、ユーザの不快感を解消できず好ましくない。
【００１３】
【発明が解決しようとする課題】
本発明は、上述のごとき実情に鑑みてなされたものであり、ＤＶＤ再生機能と表示機能とを有する電子機器において、ＤＶＤ映像と、ＴＶ放送受信映像又は外部入力映像などその他の映像との間での自動的な画面の切り換えの際、同期信号の不連続などによる大きな画像乱れを生ずることなく、且つ、色合いの変化，Ｓ／Ｎ比の悪化，解像度の劣化などを招くこともないよう、ＤＶＤ信号を放送方式を選択して出力することが可能な、ＤＶＤ信号出力選択装置、その装置を備えたＤＶＤ内蔵型マルチ方式ＴＶ受像機、同じくその装置を備えたＤＶＤ再生表示装置、同じくその装置を備えたＤＶＤ再生装置を提供することをその目的とする。
【００１４】
【課題を解決するための手段】
本発明は、上述の目的を達成するために、以下の各技術手段により構成される。
第１の技術手段は、表示装置と、ＤＶＤからＤＶＤ信号を読み取り前記表示装置に再生させるＤＶＤ再生装置とを備えた電子機器におけるＤＶＤ信号出力選択装置であって、前記ＤＶＤ再生装置により復号したＤＶＤ信号を、複数のビデオ信号の放送方式に符号化するビデオ信号符号化回路と、前記ＤＶＤ信号以外の入力ビデオ信号の放送方式を判別する放送方式判別回路と、該放送方式判別回路における判別結果を一時記憶する記憶手段と、前記放送方式判別回路によって判別され、前記記憶手段で記憶された、前記入力ビデオ信号の放送方式に基づき、前記復号したＤＶＤ信号を符号化する放送方式を選択する放送方式選択回路とを有することを特徴としたものである。第１の技術手段により、ＤＶＤ信号をその放送方式を選択して出力することが可能となり、ＤＶＤ映像と他の映像との間での自動的な画面の切り換えの際、同期信号の不連続などによる大きな画像乱れを生ずることなく、且つ、色合いの変化，Ｓ／Ｎ比の悪化，解像度の劣化などを招くこともなくなる。
【００１５】
第２の技術手段は、第１の技術手段において、前記放送方式選択回路は、前記放送方式判別回路によって判別され、前記記憶手段で記憶された、前記入力ビデオ信号の放送方式に基づき、前記復号したＤＶＤ信号を該放送方式で符号化するよう、前記ビデオ信号符号化回路における符号化の放送方式を切り換える回路であることを特徴としたものである。第２の技術手段により、ＤＶＤ信号を、ＤＶＤ信号以外の入力ビデオ信号の放送方式に切り換えて出力することが可能となり、ＤＶＤ映像と他の映像との間での自動的な画面の切り換えの際、同期信号の不連続などによる大きな画像乱れを生ずることなく、且つ、色合いの変化，Ｓ／Ｎ比の悪化，解像度の劣化などを招くこともなくなる。
【００１６】
第３の技術手段は、第１又は第２の技術手段において、前記入力ビデオ信号は、ＴＶ放送受信信号としての入力ビデオ信号、及び／又は、外部入力としての入力ビデオ信号であることを特徴としたものである。第３の技術手段により、ＤＶＤ信号をその放送方式を選択して出力することが可能となり、ＤＶＤ映像とＴＶ放送受信映像又は外部入力映像との間での自動的な画面の切り換えの際、同期信号の不連続などによる大きな画像乱れを生ずることなく、且つ、色合いの変化，Ｓ／Ｎ比の悪化，解像度の劣化などを招くこともなくなる。
【００１７】
第４の技術手段は、第１乃至第３のいずれか１の技術手段におけるＤＶＤ信号出力選択装置を備え、前記表示装置をＴＶ放送受信信号を表示する装置とし、前記入力ビデオ信号は、ＴＶ放送受信信号としての入力ビデオ信号及び外部入力としての入力ビデオ信号であることを特徴とした、前記電子機器としてのＤＶＤ内蔵型マルチ方式ＴＶ受像機である。
【００１８】
第５の技術手段は、第１乃至第３のいずれか１の技術手段におけるＤＶＤ信号出力選択装置と、該ＤＶＤ信号出力選択装置からの出力を表示する前記表示装置とを備えた、前記電子機器としてのＤＶＤ再生表示装置である。
【００１９】
第６の技術手段は、第１乃至第３のいずれか１の技術手段におけるＤＶＤ信号出力選択装置を備え、前記表示装置は、該ＤＶＤ信号出力選択装置からの出力を表示する、当該ＤＶＤ再生装置に外部接続された表示装置であることを特徴としたＤＶＤ再生装置である。
【００２０】
【発明の実施の形態】
図１は、本発明の一実施形態に係るＤＶＤ信号出力選択装置の一構成例を説明するための図である。
本実施形態に係るＤＶＤ信号出力選択装置は、ＤＶＤ信号を信号方式を選択して出力することが可能なＤＶＤ信号出力選択機能をもつものとする。本発明に係るＤＶＤ信号出力選択機能は、ＤＶＤ再生機能と、ＴＶモニタ機能等の表示機能（ディスプレイ機能）とを有する電子機器、例えばここで例示するＤＶＤ内蔵型マルチ方式ＴＶ受像機や、ＬＣＤモニタ付きＤＶＤ等のＤＶＤ再生表示装置などにおいて装備されるべき機能である。本実施形態では、このＤＶＤ信号出力選択装置を、ＤＶＤ再生機能内蔵のマルチ方式ＴＶ受像機に組み込んだ例を挙げ、図１に基づき説明する。図１中、１はＤＶＤ信号出力選択機能をもつＤＶＤ内蔵型マルチ方式ＴＶ受像機の主要部であり、ＤＶＤ再生表示装置の主要部を示しているともいえる。
【００２１】
ＤＶＤ信号出力選択装置は、ＤＶＤ再生装置により復号されたＤＶＤ信号を、ＮＴＳＣ方式，ＰＡＬ方式，ＳＥＣＡＭ方式など予め用意したいずれの方式にでも符号化できるビデオ信号符号化回路と、ＤＶＤ信号以外の入力ビデオ信号（入力映像信号）の放送方式を判別する放送方式判別回路１６と、その判別結果を記憶する記憶手段と、その判別結果に基づき、ＤＶＤ信号の復調（出力）方式、すなわちＤＶＤ再生装置により復号されたＤＶＤ信号の出力方式（ビデオ信号符号化回路の出力信号方式）を選択し決定する放送方式選択回路と、を少なくとも備えた構成をもつ。
【００２２】
なお、ＤＶＤ信号とは、ＤＶＤ２４の再生出力信号やＯＳＤ（Ｏｎ　Ｓｃｒｅｅｎ　Ｄｉｓｐｌａｙ）メニュー出力信号を指し、ＤＶＤ関連信号ともいえる。また、ＤＶＤ信号以外の入力ビデオ信号とは、ＴＶ放送受信信号としての受信ビデオ信号及び／又は外部入力としての入力ビデオ信号を指す。また、予め用意した方式として、ＮＴＳＣ方式及びＰＡＬ方式を例に挙げ、以下、これらに対応可能なビデオ信号符号化回路を備えたマルチ方式ＴＶ受像機として本構成例を説明する。さらに、ビデオ信号符号化回路及び放送方式選択回路の例として、双方の回路を組み込んだビデオエンコーダ（ＶＩＤＥＯエンコーダ）２０を例示する。
【００２３】
放送方式判別回路１６では、例えば、ＤＶＤ信号以外の入力ビデオ信号がＰＡＬ方式であるか、ＮＴＳＣ方式であるかを判別するために、同期信号分離を行い、垂直同期信号の時間を測定する（５０Ｈｚ或いは６０Ｈｚ）、或いは、垂直同期信号期間の水平同期信号数（５２５／２或いは６２５／２）を比較するなどを行う。
【００２４】
ビデオ信号符号化回路は、結果的に、ＤＶＤ信号を予め用意したＮＴＳＣ方式，ＰＡＬ方式のいずれの方式にでも復号（ディジタル→アナログ変換）可能なよう、ＤＶＤ再生装置におけるＤＶＤ信号復号回路からの出力を符号化する回路である。ＤＶＤ信号復号回路としては、ＤＶＤ再生信号を増幅、ＭＰＥＧデコードするＭＰＥＧデコーダ１９を備え、ビデオ信号符号化回路は、ＭＰＥＧデコーダ１９でＭＰＥＧ復調されたＤＶＤ信号をビデオ信号にエンコードするものとする。なお、ビデオ信号符号化回路と、ＤＶＤ再生装置におけるＤＶＤ信号復号回路とにより、ＤＶＤ信号を予め用意したＮＴＳＣ方式，ＰＡＬ方式のいずれの方式にでも復号するともいえる。なお、このＤＶＤ再生装置は録画機能を備えた装置としてもよいが、簡便のため録画機能を無視して説明する。
【００２５】
また、放送方式選択回路は、放送方式判別回路１６によって判別され、記憶手段に記憶された、ＤＶＤ信号以外の入力ビデオ信号の放送方式（ＰＡＬ方式／ＮＴＳＣ方式）に基づき、ＭＰＥＧ復調されたＤＶＤ信号を出力（符号化）する放送方式を選択する回路である。選択の方法としては、後述する切り換えが好ましいが、予め閲覧するＴＶ番組の放送方式が決まっている場合、例えば放送方式が一定の地域或いは設備（例えば地上波のみ等）しか持たないユーザの場合などには、ユーザにより選択するような形態も採り得る。
【００２６】
これらビデオ信号符号化回路及び放送方式選択回路の例としての、ビデオエンコーダ２０は、ディジタル信号をアナログビデオ信号に復調出力するための符号化回路ブロックであり、後述のシステムコントロールマイコン１７からの制御データに基づき、ＮＴＳＣ方式でエンコードするのか、ＰＡＬ方式でエンコードするのかを選択できる回路になっている。ここでは、ビデオエンコーダ２０を、ＰＡＬエンコーダ２１とＮＴＳＣエンコーダ２２とスイッチ回路２３とを備えるものとして図示している。スイッチ回路２３は、放送方式判別回路１６によって判別され、記憶手段で記憶された、ＤＶＤ信号以外の入力ビデオ信号の放送方式に基づき、ＭＰＥＧ復調されたＤＶＤ信号を、その放送方式で符号化するよう、ビデオ信号符号化回路における放送方式（符号化の放送方式）をユーザ選択する必要もなく自動的に切り換える回路であり、放送方式選択回路として好適な回路である。
【００２７】
また、ＭＰＥＧデコーダ１９を、ＯＳＤ機能を内臓する、ＤＶＤ再生信号（ＤＶＤ再生出力信号）のＭＰＥＧデコード回路ブロックとして図示するが、ＭＰＥＧデコーダ１９の外部にＯＳＤ回路を備えてもよい。なお、ＯＳＤ機能とは、各種設定値を、表示装置の一部に表示しながら設定できるようにした表示装置の機能であり、スクリーンの表示位置やスクリーンサイズなど、設定項目の選択や調整の状態を表示装置の画面上で確認しながら調整するための機能である。一般的なＯＳＤ機能付き表示装置では、設定後一定時間が経過すると自動的にＯＳＤの表示を消去するようになっている。このように、ＯＳＤ回路はＤＶＤ設定のＯＳＤメニュー画面出力信号をＤＶＤ信号として出力する。
【００２８】
ＤＶＤフロントエンド１８は、ＤＶＤ２４を読み込み処理等の前処理するＤＶＤフロントエンド部を表わすブロックであり、ＭＰＥＧデコーダ１９はＤＶＤフロントエンド１８で前処理された信号をデコードすることとなる。なお、ＤＶＤ２４としては、ＤＶＤ−ＲＯＭ，ＤＶＤ−Ｖｉｄｅｏ，ＤＶＤ−Ａｕｄｉｏ，ＤＶＤ−Ｒ（Ｒｅｃｏｒｄａｂｌｅ），ＤＶＤ−ＲＷ（Ｒｅｗｒｉｔａｂｌｅ），ＤＶＤ−ＲＡＭのフォーマットに加え、次世代フォーマットなど、いずれでも適用可能である。
【００２９】
システムコントロールマイコン１７は、システム全体を制御するＣＰＵ，ＭＰＵ等の集中処理装置と記憶装置とからなるマイコンである。上述した記憶手段の一例としての記憶装置は、放送方式判別回路１６における判別結果を一時記憶する手段であればよく、図１のようにマイコン１７に組み込まれた形態を採らなくてもよい。なお、図１では、１つのマイコンとして図示しているが、複数で制御するシステムでも何ら問題はない。システムコントロールマイコン１７は、ＭＰＥＧデコーダ１９，ビデオエンコーダ２０に加え、後述する、ＴＶチャンネル選局復調回路１３，信号切り換え回路１４，ＤＶＤフロントエンド１８等の制御を行い、システムをトータル的にコントロールするものであるとする。
【００３０】
ＴＶチャンネル選局復調回路１３は、ユーザにより選択されたＴＶチャンネルをアンテナＩＮ１２から受信するＴＶチューナと、受信したビデオ信号を復調する回路とを含んでなる回路である。ここで、ＴＶチューナは、地上波用のチューナに限らず、ＢＳ（Ｂｒｏａｄｃａｓｔｉｎｇ　Ｓａｔｅｌｌｉｔｅ）やＣＳ（Ｃｏｍｍｕｎｉｃａｔｉｏｎｓ　Ｓａｔｅｌｌｉｔｅ）などを利用する衛星放送チューナであっても、さらにはそれらを兼ね備えたものであってもよい。
【００３１】
一方、ラインＩＮ１１からは、外部入力として、例えばＢＳ，ＣＳ受信信号やＶＣＲ，ＶＴＲ再生信号などがその接続形態に応じて入力される。
【００３２】
選択用スイッチである信号切り換え回路（信号切り換えＳＷという）１４は、ラインＩＮ１１，ＴＶチャンネル選局復調回路１３，ビデオエンコーダ２０とマルチ方式ＴＶモニタ駆動回路１５に接続され、マルチ方式ＴＶモニタ駆動回路１５に伝送する信号を、ラインＩＮ（外部入力）信号，ＴＶチューナ受信信号，ＤＶＤ信号から選択し、選択した信号を伝送するよう切り換えるスイッチ回路である。信号切り換えＳＷ１４では、端子ａにラインＩＮ（外部入力信号）１１、端子ｂにＴＶチャンネル選局復調回路１３、端子ｃにビデオエンコーダ２０（ＰＡＬエンコーダ２１及びＮＴＳＣエンコーダ２２からの信号）がそれぞれ接続されている。
【００３３】
マルチ方式ＴＶモニタ駆動（表示）回路１５は、ＬＣＤ，ＣＲＴ（Ｃａｔｈｏｄｅ−Ｒａｙ　Ｔｕｂ），ＰＤＰ（Ｐｌａｓｍａ　Ｄｉｓｐｌａｙ　Ｐａｎｅｌ）等のディスプレイモニタ（図示せず）であって、ＰＡＬ，ＮＴＳＣ，ＳＥＣＡＭ等の複数の信号方式（ここではＰＡＬ及びＮＴＳＣ方式）に対応したマルチ方式モニタに接続され、それを駆動し表示させるための回路である。
【００３４】
以下に、上述のごとき構成をもつＤＶＤ信号出力選択装置における動作を説明する。
まず、外部入力信号としてラインＩＮ１１から、或いはアンテナＩＮ１２からＴＶチャンネル選局復調回路１３を通じて入力された入力ビデオ信号は、放送方式判別回路１６に入力される。放送方式判別回路１６に入力された入力ビデオ信号は、そこでその信号がＰＡＬ方式なのか、ＮＴＳＣ方式なのかが判別され、判別結果は、システムをトータルで管理するシステムコントロールマイコン１７に入力、一時記憶され、認識されることとなる。この入力ビデオ信号がＴＶモニタに表示される設定になっている場合、入力ビデオ信号は、信号切り換えＳＷ１４の端子ａを経由しＴＶモニタ駆動回路１５に送られ、ＴＶモニタにＮＴＳＣ信号として映し出されることとなる。
【００３５】
ここで、例えば、外部サテライト（衛星放送）チューナで受信したＮＴＳＣ信号を、ラインＩＮ１１に入力したとすると、その信号は、放送方式判別回路１６で「ＮＴＳＣ方式」と判別されて、その情報は、システムコントロールマイコン１７に送られる。入力ビデオ信号は、信号切り換えＳＷ１４の端子ａを経由し、ＴＶモニタ駆動回路１５に送られ、ＴＶモニタにＮＴＳＣ信号として映し出されることとなる。
【００３６】
ここでユーザが、ＤＶＤメニューを立ち上げようと操作すると、システムコントロールマイコン１７は、ＭＰＥＧデコーダ１９に内蔵される、ＯＳＤ回路（グラフィック機能）にメニュー画面の作成とその出力をするよう働きかける。その時、システムコントロールマイコン１７は、入力ビデオ信号の放送方式が「ＮＴＳＣ方式」であることを認識しているので、ビデオエンコーダ２０に対し、出力するメニュー画面の映像信号を、「ＮＴＳＣ方式」に復調・出力するように働きかける。その後、信号切り換えＳＷ１４により、端子ｃが選択されて、ＴＶモニタ駆動回路１５へ送られる。その結果、入力信号（サテライトチューナ入力信号）「ＮＴＳＣ方式」から、ＤＶＤ＿ＯＳＤメニュー画面「ＮＴＳＣ方式」に同一方式として、切り換えられる。ＴＶモニタ画面の切り換わりは、垂直同期周波数や、フレーム周波数に変更がないので、大きく乱れるようなことは生じない。
【００３７】
このように、ＮＴＳＣ受信中に、ＤＶＤのメニュー画面を立ち上げるときなど、ＤＶＤ装置部のメニュー作成回路は、「衛星放送の判別結果＝ＮＴＳＣ」との情報を基に、ＮＴＳＣ方式でメニュー画面を作成するように制御すれば、ＴＶ番組視聴からＤＶＤメニュー画面に切り換わったときにも、モニタ上での大きな乱れが発生せずに済むことになる。
【００３８】
また、ＯＳＤメニュー画面のみでなく、ＤＶＤ再生信号の場合も同様に、ビデオエンコーダ２０にて、出力する放送方式を指定してやることで、ＴＶモニタ画面での大きな乱れは発生せずに済む。すなわち、ＮＴＳＣの衛星放送を視聴中に、市販のＰＡＬ方式ＤＶＤを再生したときに、受信信号（ＮＴＳＣ）の放送方式（ＮＴＳＣ）を認識し、ＤＶＤから得られるディジタルデータをアナログビデオに復号するときに、ＮＴＳＣ方式にして出力してやれば、最小限の画像不連続で画像切り換わりがなされることになる。また、その再生（ＮＴＳＣ出力）から停止させ、放送受信画面（ＮＴＳＣ）に戻るときも、違和感がなく切り換えることができる。
【００３９】
一方、地上波放送（ＰＡＬ方式）を視聴中にＤＶＤ（ＰＡＬ方式）を再生する場合は、そのまま、ＰＡＬ方式で出力すれば良い。ユーザの視聴する番組の放送方式に合わせてＤＶＤ再生が出力されることで違和感の無い画面切り換わりと、必要最低限の方式変換処理で最適なシステムを得られることになる。なお、元来、ＤＶＤに記録されている信号はディジタル信号であるので、出力をＰＡＬにするのかＮＴＳＣにするかの処理では、信号の劣化はほとんど発生しない。
【００４０】
上述のごとく、入力ビデオ信号の放送方式判別結果がマイコン１７に入力され、入力ビデオ信号の放送方式に合わせた方式で、ＤＶＤメニューやＤＶＤ再生信号をエンコードすることにより、ＴＶモニタでの画面切り換わり目の大きな乱れを発生させることは無くなる。すなわち、画面切り換えをスムーズに行うことでユーザに不快感を与えることなく、使用してもらうことができる。
【００４１】
図２は、本発明の他の実施形態に係るＤＶＤ再生装置の一構成例を示す図で、図中、３はＤＶＤ再生装置、４は表示装置である。
本実施形態に係るＤＶＤ再生装置３は、各種ＤＶＤからＤＶＤ信号を読み取り、そのＤＶＤ信号を外部の表示装置（例えばＴＶ受像機，ディスプレイ）４に再生させる装置であり、上述のごときＤＶＤ信号出力選択装置が組み込まれた装置である。なお、ＤＶＤ再生装置３を録画機能を備えた装置としてもよいが、簡便のため、ここでは録画機能を無視して説明する。
【００４２】
表示装置４は、マルチ方式ＴＶディスプレイ４６と、それを駆動する駆動回路４５と、アンテナからのＴＶ放送信号を入力するアンテナＩＮ４１と、そこから入力されたＴＶ放送信号を選局し復調するＴＶチャンネル選局復調回路４３とを備え、さらに、ＤＶＤ再生装置３（或いはその他の機器）用の信号入力部としてのラインＩＮ４２と、ＴＶチャンネル選局復調回路４３からＴＶ放送信号を出力する信号出力部としてのラインＯＵＴ４４とを備えている。
【００４３】
本実施形態に係るＤＶＤ再生装置３におけるＤＶＤ信号出力選択装置は、図１で説明した通りであり、説明を省略する。ＤＶＤ再生装置３が図１で説明したＤＶＤ再生装置と異なる点は、ラインＯＵＴ４４に接続された、ラインＩＮ３１等の表示装置４側からの信号入力部から、そのビデオ信号を取得し、放送方式判別回路１６でその放送方式を判別し、最終的に、表示装置４側へラインＯＵＴ３４等のビデオ信号出力手段にて、その放送方式のＤＶＤ信号を出力する点である。ラインＯＵＴ３４から出力された信号により、ラインＯＵＴ３４と接続されたラインＩＮ４２を介して駆動回路４５が駆動され、その放送方式でＤＶＤ信号をディスプレイ４６に表示することが可能となる。なお、信号切り換えＳＷ１４の端子ａにラインＩＮ３１を接続しているのは、ＤＶＤ再生装置３がＯＮであるときには、表示装置４においてＴＶ放送信号を受信している場合でもＤＶＤ再生装置３を介して駆動回路１５を駆動させることを可能とする形態を図示しているためであり、この形態でなくてもよい。また、本実施形態に係るＤＶＤ再生装置３としては、アンテナＩＮ３２及びＴＶチャンネル選局復調回路３３を備えなくてもよく、ここでは、図１と共に説明したＤＶＤ再生装置をＴＶ受像機に接続した形態を示す例としても図２を援用できるように図示している。
【００４４】
【発明の効果】
本発明によれば、ＤＶＤ再生機能と表示機能とを有する電子機器において、同期信号の不連続などによる大きな画像乱れを生ずることなく、且つ、色合いの変化，Ｓ／Ｎ比の悪化，解像度の劣化などを招くこともなく、ＴＶ放送受信映像又は外部入力映像とＤＶＤ再生映像との間での自動的な画面の切り換えを行うことが可能となり、結果としてユーザに不快感を与えることのなくその切り換えが可能となる。
【図面の簡単な説明】
【図１】本発明の一実施形態に係るＤＶＤ信号出力選択装置の一構成例を説明するための図である。
【図２】本発明の他の実施形態に係るＤＶＤ再生装置の一構成例を示す図である。
【符号の説明】
１…ＤＶＤ内蔵型マルチ方式ＴＶ受像機の主要部、３…ＤＶＤ再生装置、４…表示装置、１１…ラインＩＮ、１２…アンテナＩＮ、１３…ＴＶチャンネル選局復調回路、１４…信号切り換え回路、１５…マルチ方式ＴＶモニタ駆動回路、１６…放送方式判別回路、１７…システムコントロールマイコン、１８…ＤＶＤフロントエンド、１９…ＭＰＥＧデコーダ、２０…ＶＩＤＥＯエンコーダ、２１…ＰＡＬエンコーダ、２２…ＮＴＳＣエンコーダ、２３…スイッチ回路、２４…ＤＶＤ、３１…ラインＩＮ、３２…アンテナＩＮ、３３…ＴＶチャンネル選局復調回路、３４…ラインＯＵＴ、４１…アンテナＩＮ、４２…ラインＩＮ、４３…ＴＶチャンネル選局復調回路、４４…ラインＯＵＴ、４５…駆動回路、４６…ディスプレイ。
【図１】
2004072437.tif 000003
【図２】
2004072437.tif 000004